(57)【要約】【課題】隣り合う発電コイル間の隙間を大きくすることができ巻線が容易になる磁石式発電機のステータを提供すること。【解決手段】ステータは、銅線１１が巻かれる積層コア６を備える磁石式発電機のステータである。積層コア６は、ロータ軸方向ｂの中央部から両端に向かってロータ回転方向ａの幅が段階的に狭くなる幅狭部７２を有し、幅狭部７２は、ロータ回転方向ａの中央部から銅線１１の巻方向ｃと反対側の位置にオフセットされる。【選択図】図２
2005261160.tif 000002
【特許請求の範囲】
【請求項１】
銅線が巻かれる積層コアを備える磁石式発電機のステータにおいて、
前記積層コアは、ロータ軸方向の中央部から両端に向かってロータ回転方向の幅が段階的に狭くなる幅狭部を有し、該幅狭部は、ロータ回転方向の中央部から前記銅線の巻方向と反対側の位置にオフセットされることを特徴とする磁石式発電機のステータ。
【発明の詳細な説明】
【技術分野】
【０００１】
本発明は、磁石式発電機において、銅線が巻かれる積層コアを備えるステータに関する。
【背景技術】
【０００２】
オートバイ（自動二輪車）用などの磁石式発電機（例えば、特許文献１参照）において、低回転域での出力電流増加の要求、及び、高回転域での出力電流抑制の要求があり、これらの要求を同時に満たすためには、ステータの積層コアの厚さを厚くする必要がある。また、出力電流の増加に伴う発電コイルの温度上昇を抑制するためには、発電コイルの銅線を太くする必要がある。
【０００３】
しかし、従来からの、プレス機で打ち抜かれた同一形状のコアプレートを積層して構成される積層コアに太い銅線を巻くとき、積層コアのロータ軸方向中央部で銅線が大きく膨らみ、隣り合う発電コイル間の隙間が減少して巻線作業が困難になるという問題が生じる。また、隣り合う発電コイル間の隙間の減少及び上記銅線の膨らみによる銅線と積層コアとの間の隙間により、発電コイルの放熱が悪化し、発電コイルが耐熱限界を超えるという問題が生じる。
【０００４】
そこで、本出願人は、先の出願（特願２００２−２９４９８５）において、図３に示すように、ロータ軸方向ｂの中央部から両端に向かってロータ回転方向ａの幅が段階的に狭くなる幅狭部７２を有するよう積層コア６を構成したステータを提案した。
【特許文献１】特開２００１−１２８４２９公報
【発明の開示】
【発明が解決しようとする課題】
【０００５】
しかし、上記幅狭部７２を有する積層コア６に銅線１１を巻いたところ、図３に示すように、幅狭部７２から銅線１１の巻方向ｃ側に銅線１１の膨らみＢが生じ、銅線１１の巻状態は、積層コア６の外周形状に沿った巻状態とならずに図示左上部及び右下部が左右方向に膨らんだ巻状態となり、やはり、隣り合う発電コイル１２，１２（図１参照）間の隙間が小さくなり巻線が困難になることが判明した。なお、図３中の符号１０は絶縁樹脂を表している。
【０００６】
本発明は、上記のような先の出願の問題点を解決し、隣り合う発電コイル間の隙間を大きくすることができ巻線が容易になる磁石式発電機のステータを提供することを目的とする。
【課題を解決するための手段】
【０００７】
本発明による磁石式発電機のステータは、銅線が巻かれる積層コアを備える磁石式発電機のステータにおいて、前記積層コアは、ロータ軸方向の中央部から両端に向かってロータ回転方向の幅が段階的に狭くなる幅狭部を有し、該幅狭部は、ロータ回転方向の中央部から前記銅線の巻方向と反対側の位置にオフセットされることを特徴とする。
【０００８】
本発明によると、幅狭部をロータ回転方向の中央部から銅線の巻方向と反対側の位置にオフセットしたため、銅線の巻状態は、積層コアに密着するような巻状態となり、隣り合う発電コイル間の隙間が十分に大きくなり巻線が容易になった。
【発明を実施するための最良の形態】
【０００９】
以下、本発明の実施形態を図面に基づいて説明する。
【００１０】
図１は、本発明の一実施形態に係るステータが組み込まれた磁石式発電機の基本構成図、図２は、図１図示II-II断面図をそれぞれ示す。
【００１１】
図１及び図２において、１はロータ、２はステータを表している。
【００１２】
ロータ１は、図示しない駆動源により回転可能とされており、所定間隔を置いて環状に配置された複数の磁石３（図１では、具体的な図示を省略してある。）と、リング状のヨーク４と、保護リング５とを備えて構成される。
【００１３】
ステータ２は、ロータ１の中空部に固定配置されている。ステータ２は積層コア６を備える。積層コア６は、鉄板をプレス加工したコアプレート７を複数枚積層し、その両側にコアプレート７より若干厚いエンドプレート８を重ねた後、リベット（図示せず）でかしめて一体化し、その外周部に所定間隔を置いて環状に配された各突起部９の表面を、エポキシ樹脂（絶縁樹脂）１０で絶縁して構成される。積層コア６の各突起部９には銅線１１が巻かれ、発電コイル１２が形成される。
【００１４】
積層コア６を構成する複数枚のコアプレート７は、図２に示すように、ロータ回転方向ａにおける幅が各々異なる２種類のコアプレート群７１，７２からなり、ロータ回転方向ａに対し垂直なロータ軸方向ｂにおける中央部に幅広のコアプレート群（幅広部）７１が位置し、この幅広部７１の両側に、幅狭のコアプレート群（幅狭部）７２が位置している。幅狭部７２は、ロータ回転方向ａの中央部から銅線１１の巻方向ｃと反対側の位置にオフセットされている。エンドプレート８のロータ回転方向ａの幅は、幅狭部７２のロータ回転方向ａの幅よりも狭く形成されている。エンドプレート８は、幅広部７１に対する幅狭部７２のオフセットと同様、幅狭部７２に対してオフセットされている。
【００１５】
積層コア６の突起部９に対する銅線１１の巻状態は、図２に示すように、ほぼ、幅狭部７２をオフセットさせていない積層コア６（図３の積層コア６に相当する。）の外周形状に沿った巻状態となる。これは、銅線１１を巻く際に幅狭部７２から銅線１１の巻方向側（図３において左上部及び右下部）に銅線１１の膨らみＢが生じるが、上記のように幅狭部７２がオフセットされているため、銅線１１の巻状態が、積層コア６に密着するような巻状態となるためである。
【００１６】
以上説明したように、本実施形態に係るステータ２によると、幅狭部７２をロータ回転方向ａの中央部から銅線１１の巻方向ｃと反対側の位置にオフセットしたため、銅線１１の巻状態は、積層コア６に密着するような巻状態となり、隣り合う発電コイル１２，１２間の隙間が十分に大きくなり巻線が容易になった。
【００１７】
なお、上記実施形態では、１段の幅狭部７２で説明したが、本発明は、複数段の幅狭部７２にも適用可能である。また、エンドプレート８は、幅狭部７２に対してオフセットさせないようにしてもよい。
【図面の簡単な説明】
【００１８】
【図１】本発明の一実施形態に係るステータが組み込まれた磁石式発電機の基本構成図である。
【図２】図１図示II-II断面図である。
【図３】本発明の前提となったステータの断面図であり、図２と同様な切断面による断面図である。
【符号の説明】
【００１９】
６    積層コア
１１    銅線
７２    幅狭部
ａ    ロータ回転方向
ｂ    ロータ軸方向
ｃ    銅線の巻方向
【図１】
2005261160.tif 000003
【図２】
2005261160.tif 000004
【図３】
2005261160.tif 000005